(57)【特許請求の範囲】
【請求項１】
所定の臭いを検出する臭いセンサと、
前記臭いセンサで所定の臭いを検出したら、予め設定された処理を実行する制御部と、
ユーザの発話を集音するマイクと、
ユーザに操作を促す促進部と、を備え、
前記臭いセンサは、前記マイクの近傍に設けられており、
前記制御部は、予め設定された１つ又は複数の時刻に、ユーザの操作を促すように前記促進部を制御するとともに、前記臭いセンサを動作させることを特徴とする携帯電子機器。
【請求項２】
前記促進部は、音声を発生する音声発生部又は画像を表示する表示部であることを特徴とする請求項１に記載の携帯電子機器。
【請求項３】
前記制御部は、前記臭いセンサで所定の臭いを検出したら、その旨を知らせる音声を発生するように前記音声発生部を制御することを特徴とする請求項２に記載の携帯電子機器。
【請求項４】
前記制御部は、前記促進部による促しにもかかわらずユーザが操作を行わない場合には、その旨を知らせる音声を発生するように前記音声発生部を制御することを特徴とする請求項２または３に記載の携帯電子機器。
【請求項５】
前記予め設定された１つ又は複数の時刻は、平日と休日とで異なることを特徴とする請求項１から４のいずれか１項に記載の携帯電子機器。
【請求項６】
所定の臭いを検出する臭いセンサと、
前記臭いセンサで所定の臭いを検出したら、予め設定された処理を実行する制御部と、
ユーザの操作を受け付ける操作部と、
他の機器と通信を行う通信部と、を備え、
前記臭いセンサは、前記操作部の近傍に配置され、
前記制御部は、前記通信部で電子メールを送受信する際に、前記臭いセンサを動作させることを特徴とする携帯電子機器。
【請求項７】
前記制御部は、前記臭いセンサによって所定の臭いが検出されたら、その旨を表す電子メールを予め設定された通信先に送信するように前記通信部を制御することを特徴とする請求項６に記載の携帯電子機器。
【請求項８】
前記臭いセンサは、タバコの臭いを検出することを特徴とする請求項１または６に記載の携帯電子機器。
【発明の詳細な説明】
【技術分野】
【０００１】
本発明は、臭いを検出する携帯電子機器に関する。
【背景技術】
【０００２】
喫煙習慣者が禁煙を試みる場合、ニコチンによる中毒やニコチンの欠乏による禁断症状、喫煙の一連動作を絶たれることによる不安感などのストレスが、禁煙を継続することの障害となる。禁煙を試みる者は、それらの障害に対して、ただひたすら我慢したり、はっか等の香料などをタバコの形状にした擬似的な喫煙具で気分を紛らわせたり、禁煙しながらも少量のニコチンを摂取できるガムやニコチンパッチを使用したりし、自己の努力で対応している。
【０００３】
なお、特許文献１には、喫煙しているユーザをサポートする(禁煙を勧める)メッセージ等を表示することにより、禁煙を試みる者の禁煙に挑む意欲を促進、継続させる禁煙支援装置が記載されている。
【先行技術文献】
【特許文献】
【０００４】
【特許文献１】特開２００５−７０９５３号公報
【発明の概要】
【発明が解決しようとする課題】
【０００５】
しかしながら、特許文献１記載の禁煙支援装置では、禁煙者が自発的に呼気成分測定などの行為をしなければならない。また、禁煙者が禁煙を勧めるメッセージを見ても、禁煙者自身がそのメッセージを見て禁煙継続の意志を維持しなければならない。つまり、特許文献１記載の禁煙支援装置によっても、結局は、禁煙の成否は禁煙者の意志の強さに依存することになる。
【０００６】
本発明は、上記に鑑みてなされたものであって、禁煙者の意志の強さに依存しにくい禁煙支援を行うことが可能な携帯電子機器を提供することを目的とする。
【課題を解決するための手段】
【０００７】
上述した課題を解決し、目的を達成するために、本発明は、所定の臭いを検出する臭いセンサと、前記臭いセンサで所定の臭いを検出したら、予め設定された処理を実行する制御部と、ユーザの発話を集音するマイクとを備え、前記臭いセンサは、前記マイクの近傍に設けられていることを特徴とする。
【０００８】
また、ユーザに操作を促す促進部を更に備え、前記制御部は、予め設定された１つ又は複数の時刻に、ユーザの操作を促すように前記促進部を制御するとともに、前記臭いセンサを動作させることが好ましい。
【０００９】
また、前記促進部は、音声を発生する音声発生部又は画像を表示する表示部であることが好ましい。
【００１０】
また、前記制御部は、前記臭いセンサで所定の臭いを検出したら、その旨を表す音声を発生するように前記音声発生部を制御することが好ましい。
【００１１】
また、前記制御部は、前記促進部による促しにもかかわらずユーザが操作を行わない場合には、その旨を表す音声を発生するように前記音声発生部を制御することが好ましい。
【００１２】
また、前記予め設定された１つ又は複数の時刻は、平日と休日とで異なることが好ましい。
【００１３】
また、他の機器と通信を行う通信部を更に備え、前記制御部は、前記通信部で電子メールを送受信する際又は前記通信部で発着信する際に、前記臭いセンサを動作させることが好ましい。
【００１４】
また、前記制御部は、前記臭いセンサによって所定の臭いが検出されたら、その旨を表す電子メールを予め設定された通信先に送信するように前記通信部を制御することが好ましい。
【００１５】
また、前記制御部は、前記促進部による促しにもかかわらずユーザが操作を行わない場合には、その旨を表す電子メールを予め設定された通信先に送信するように前記通信部を制御することが好ましい。
【００１６】
また、前記制御部は、電子メールの受信又は着信がなくても電子メールの受信又は着信があったかのようにユーザの操作を促させるように前記促進部を制御することが好ましい。
【００１７】
また、ユーザの操作入力を受け付ける操作部を更に備え、前記制御部は、前記操作部がユーザの操作入力を受け付けたら、前記臭いセンサを動作させることが好ましい。
【００１８】
また、前記制御部は、所定のときから前記臭いセンサで所定の臭いが検出されるまでの時間を計時することが好ましい。
【００１９】
また、前記臭いセンサは、タバコの臭いを検出することが好ましい。
【００２０】
また、ユーザの操作を受け付ける操作部をさらに備え、前記臭いセンサは、マイク近傍に代えて前記操作部の近傍に配置されていることが好ましい。
【発明の効果】
【００２１】
本発明にかかる携帯電子機器は、禁煙者の意志の強さによらない禁煙支援を行うことが可能となるという効果を奏する。
【図面の簡単な説明】
【００２２】
【図１】本発明の携帯電子機器の一例である携帯電子機器の一実施形態の概略構成を示す正面図である。
【図２】図１に示す携帯電子機器の機能の概略構成を示すブロック図である。
【発明を実施するための形態】
【００２３】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯電子機器として携帯電話機を例として説明するが、本発明の適用対象は携帯電話機に限定されるものではなく、例えば、ＰＨＳ（Personal Handyphone System）等に対しても本発明は適用できる。
【００２４】
図１は、本発明の携帯電子機器の一実施形態の概略構成を示す正面図である。携帯電子機器１は、無線通信機能を備えた携帯電話機である。携帯電子機器１は、筐体１Ｃが第１筐体１ＣＡと第２筐体１ＣＢとで開閉可能に構成された、折り畳み式の携帯電話機である。なお、図１は、携帯電子機器１を開いた状態である。
【００２５】
第１筐体１ＣＡには、表示部として、図１に示すメインディスプレイ２Ｍが設けられる。メインディスプレイ２Ｍは、所定の画像として、携帯電子機器１が受信を待機している状態のときに待ち受け画面を表示したり、携帯電子機器１の操作を補助するために用いられるメニュー画像を表示したりする。また、図１に示すように、第１筐体１ＣＡには、携帯電子機器１の通話時に音声を発するレシーバ６が設けられている。
【００２６】
第２筐体１ＣＢには、通話相手の電話番号や、メール作成時等に文字を入力するための操作キー３が複数設けられ、また、メインディスプレイ２Ｍに表示されるメニューの選択及び決定や画面のスクロール等を容易に実行するための特定キー４が設けられる。なお、操作キー３及び特定キー４は、携帯電子機器１の操作部２８（図２参照）を構成する。また、第２筐体１ＣＢには、携帯電子機器１の通話時に音声を受け取るマイク５が設けられる。マイク５の近傍には、小さな孔３３が形成されており、孔３３内には、臭い、特には、タバコの臭い（例えば、ニコチン、タール等の臭い）を検出する臭いセンサ３４が設けられている。尚、近傍とは、通話時等において臭いを検出できる程度、即ち呼気がかかる程度に近傍であれば良く、必ずしもマイク５と隣接しているような必要はない。
【００２７】
また、第１筐体１ＣＡと第２筐体１ＣＢとは、ヒンジ１８で連結されている。これによって、第１筐体１ＣＡ及び第２筐体１ＣＢは、ヒンジ１８を中心としてともに回動して、互いに遠ざかる方向及び互いに接近する方向に回動できるように構成される。第１筐体１ＣＡと第２筐体１ＣＢとが互いに遠ざかる方向に回動すると携帯電子機器１が開き、第１筐体１ＣＡと第２筐体１ＣＢとが互いに接近する方向に回動すると携帯電子機器１が閉じる。
【００２８】
次に、携帯電子機器の機能の概略構成を説明する。図２は、携帯電子機器の一実施形態の機能の概略構成を示すブロック図である。図２に示すように携帯電子機器１は、制御部２２と、記憶部２４と、通信部２６と、操作部２８と、音声処理部３０と、表示部３２と、臭いセンサ３４と、を有する。
【００２９】
制御部２２は、携帯電子機器１の全体的な動作を統括的に制御する処理部、例えばＣＰＵ（Central Processing Unit）である。すなわち、携帯電子機器１の各種の処理が、操作部２８の操作や携帯電子機器１の記憶部２４に保存されるソフトウェアに応じて適切な手順で実行されるように、通信部２６、表示部３２等の動作を制御する。制御部２２は、記憶部２４に保存されているプログラム（例えば、オペレーティングシステムプログラム、アプリケーションプログラム等）に基づいて処理を実行する。また、制御部２２は、複数のプログラム（アプリケーション、ソフトウェア）を並列で実行することができる。
【００３０】
記憶部２４には、制御部２２での処理に利用されるアプリケーションのプログラムやデータが保存されている。具体的には、アプリケーションのプログラムとして、インターネット通信を行うアプリケーションのプログラムや、メールの送受信を行うアプリケーションのプログラム、音声データの再生を行うアプリケーションプログラム、発信、着信、通話処理を行うアプリケーションのプログラム、テレビ放送処理を行うアプリケーションのプログラム等が保存されている。また、データとしては、画像データ、音声データ、文字変換のための辞書データ、アドレス帳データ等が記憶されている。
【００３１】
通信部２６は、アンテナ２６ａを有し、基地局によって割り当てられるチャネルを介し、基地局との間でＣＤＭＡ方式などによる無線信号回線を確立し、基地局との間で電話通信及び情報通信を行う。
【００３２】
操作部２８は、例えば、電源キー、通話キー、数字キー、文字キー、方向キー、決定キー、発信キーなど、各種の機能が割り当てられた操作キー３と特定キー４とで構成され、これらのキーがユーザの操作により入力されると、その操作内容に対応する信号を発生させる。そして、発生した信号は、ユーザの指示として制御部２２へ入力される。
【００３３】
音声処理部３０は、マイク５に入力される音声信号やレシーバ６から出力される音声信号の処理を実行する。すなわち、音声処理部３０は、マイク５から入力される音声を増幅し、ＡＤ変換（Analog Digital変換）を実行した後さらに符号化等の信号処理を施して、ディジタルの音声データに変換して制御部２２へ出力する。また、制御部２２から送られる音声データに対して復号化、ＤＡ変換（Digital Analog変換）、増幅等の処理を施してアナログの音声信号に変換してから、レシーバ６へ出力する。
【００３４】
表示部３２は、液晶ディスプレイ（ＬＣＤ、Liquid Crystal Display）や、有機ＥＬ（Organic Electro-Luminescence）パネルなどで構成されたメインディスプレイ２Ｍを備え、制御部２２から供給される映像データに応じた映像、画像データに応じた画像をメインディスプレイ２Ｍに表示させる。
【００３５】
臭いセンサ３４は、タバコの臭いを検出する検出器である。臭いセンサ３４は、制御部２２から供給される動作信号に応じて動作し、所定の閾値以上のタバコの臭いを検出すると、検出信号を発生させる。そして、発生した信号は、制御部２２へ入力される。携帯電子機器１は、基本的に以上のような構成である。
【００３６】
次に、携帯電子機器１の禁煙支援動作について説明する。臭いセンサ３４はマイク５の近傍に設けられている。そのため、ユーザが携帯電子機器１を用いて通話する際、ユーザの口と臭いセンサ３４との間の距離が非常に短くなるので、通話時はユーザの口の臭いを検出するタイミングとして好適である。そこで、制御部２２は、通信部２６で発着信又は通話する際に、臭いセンサ３４を動作させ、ユーザの口からタバコの臭いがするか否かを臭いセンサ３４に検出させる。
【００３７】
臭いセンサ３４がタバコの臭いを検出したら、制御部２２は、予め設定された通信先、例えば、家族の者、特定保健指導者等の禁煙中のユーザの監視者にユーザが喫煙した旨の電子メールを送信するように通信部２６を制御する。このように、ユーザが喫煙したら予め設定された通信先に電子メールを送信することで、ユーザを禁煙を継続せざるを得ない気持ちにさせることができる。
【００３８】
また、臭いセンサ３４がタバコの臭いを検出したら、制御部２２は、ユーザが禁煙中にもかかわらず喫煙した旨を携帯電子機器１の周囲の者に知らせる音声、例えば、「禁煙中です」という音声を出力するようにレシーバ６を制御する。一般に、禁煙を試みようとする者は、周囲の者に禁煙を開始したことを知らせずに密かに禁煙を開始することが多い。これは、禁煙を公にしないことで禁煙を挫折しても恥をかかないようにするためである。そこで、上述したように、ユーザが喫煙したら、ユーザが禁煙中にもかかわらず喫煙した旨を周囲の者に知らせる音声を出力し、禁煙中であることを公にすることで、ユーザの羞恥心を利用して、ユーザを禁煙を継続せざるを得ない気持ちにさせることができる。
【００３９】
また、制御部２２は、スケジューラモード及び監視モードの２つのモードを有している。
スケジューラモードでは、制御部２２は、予め設定された１つ又は複数の時刻に、ユーザに操作、特に口を臭いセンサ３４に近づける操作を行うようにユーザに促す音声を出力するようにレシーバ６を制御したり、口を臭いセンサ３４に近づける操作を行うようにユーザに促す画像を表示するように表示部３２を制御するとともに、臭いセンサ３４を動作させる。そして、臭いセンサ３４がタバコの臭いを検出したら、制御部２２は、予め設定された通信先にユーザが喫煙した旨の電子メールを送信するように通信部２６を制御したり、ユーザが禁煙中にもかかわらず喫煙した旨を携帯電子機器１の周囲の者に知らせる音声を出力するようにレシーバ６を制御する。このように、予め設定された時刻にユーザに口を臭いセンサ３４に近づける操作を行わせることで、ユーザを禁煙を継続せざるを得ない気持ちにさせることができる。
【００４０】
なお、促しにもかかわらずユーザが口を臭いセンサ３４に近づける操作を行わない場合には、喫煙の疑いがあると考えられるので、制御部２２は、予め設定された通信先にユーザが喫煙した疑いがある旨の電子メールを送信するように通信部２６を制御したり、ユーザが禁煙中にもかかわらず喫煙した疑いがある旨を携帯電子機器１の周囲の者に知らせる音声を出力するようにレシーバ６を制御する。このように、促しにもかかわらずユーザが口を臭いセンサ３４に近づける操作を行わない場合には、ユーザが喫煙した疑いがある旨の電子メールを予め設定された通信先に送信することで、ユーザを禁煙を継続せざるを得ない気持ちにさせることができる。また、ユーザが喫煙した疑いがある旨を周囲の者に知らせる音声を出力し、禁煙中であることを公にすることで、ユーザの羞恥心を利用して、ユーザを禁煙を継続せざるを得ない気持ちにさせることができる。
【００４１】
なお、１つ又は複数の時刻は、ユーザの生活パターンが平日と休日とで異なる場合を考慮し、平日と休日とで別々に設定可能としても良い。例えば、平日喫煙可能時間帯（例えば昼間）、休日喫煙可能時間帯（例えば全日）を設定可能とし、これらの時間帯にユーザに操作を促すようにしても良い。これにより、ユーザの生活パターンに応じて、禁煙支援を効果的に行うことができる。また、スケジューラモードで、所定の時（例えば禁煙開始時）から臭いセンサ３４でタバコの臭いを検出するまでの時間（禁煙継続時間）を計時するようにしても良い。そして、この禁煙継続時間を表示部３２に表示等することでユーザに知らせることにより、ユーザの禁煙継続の励みにすることができる。
【００４２】
次に、監視モードでは、予め設定された通信先、例えば、家族の者、特定保健指導者等の禁煙中のユーザの監視者からの着信又は電子メール受信の際に、臭いセンサ３４を動作させる。そして、臭いセンサ３４がタバコの臭いを検出したら、制御部２２は、予め設定された通信先にユーザが喫煙した旨の電子メールを送信するように通信部２６を制御する。これにより、禁煙中のユーザの監視者がユーザの監視を行うことができるので、ユーザを禁煙を継続せざるを得ない気持ちにさせることができる。また、臭いセンサ３４がタバコの臭いを検出したら、制御部２２は、ユーザが禁煙中にもかかわらず喫煙した旨を携帯電子機器１の周囲の者に知らせる音声を出力するようにレシーバ６を制御する。このように、禁煙中であることを公にすることで、ユーザの羞恥心を利用して、ユーザを禁煙を継続せざるを得ない気持ちにさせることができる。なお、監視者からの着信又は電子メール受信の際にユーザが操作を行わない場合には、喫煙の疑いがあると考えられるので、制御部２２は、予め設定された通信先にユーザが喫煙した疑いがある旨の電子メールを送信するように通信部２６を制御したり、ユーザが禁煙中にもかかわらず喫煙した疑いがある旨を携帯電子機器１の周囲の者に知らせる音声を出力するようにレシーバ６を制御する。
【００４３】
その他、ユーザが操作部２８に操作入力を行うときには、通話時ほどではないものの、ユーザの口と臭いセンサ３４との間の距離が或る程度短くなるので、臭いを検出するタイミングとして好適である。そこで、電子メールの送受信、閲覧又は作成やスケジュール管理などの際にユーザからの操作入力を操作部２８で受け付けたら、制御部２２が、臭いセンサ３４を動作させて臭いを検出するようにしても良い。これにより、ユーザの口のタバコの臭いを効果的に検出することができ、ユーザを禁煙を継続せざるを得ない気持ちにさせることができる。
【００４４】
また、制御部２２は、実際には着信又は電子メールの受信がなくとも、あたかも着信又は電子メールの受信があったかのように着信音を鳴らすようにレシーバ６を制御したり、着信画像を表示するように表示部３２を制御したりして（フェイク着信）、ユーザの操作を促すとともに、臭いセンサ３４を動作させて臭いを検出するようにしても良い。このようにフェイク着信を用いることにより、ユーザを携帯電子機器１の操作を行わざるを得ない気持ちにさせることができ、禁煙支援を効果的に行うことができる。このとき、例えば直前の着信或いは発信相手からの着信を装ってもよい。これにより、ユーザはフェイク着信とは気付きにくい。
【００４５】
以上説明したように、本実施形態によれば、ユーザが喫煙した場合や喫煙した疑いがある場合には、予め設定された通信先にユーザが喫煙した又は喫煙した疑いがある旨の電子メールを送信したり、ユーザが禁煙中にもかかわらず喫煙した又は喫煙した疑いがある旨を周囲の者に知らせる音声を出力するので、ユーザを禁煙を継続せざるを得ない気持ちにさせることができる。これにより、禁煙者の意志の強さによらない禁煙支援を行うことが可能となる。
【００４６】
なお、本実施形態においては、臭いセンサ３４がタバコの臭いを検出することとしているが、酒、薬物（大麻等）の臭いや口臭（揮発性硫黄化合物、メチルメルカプタン等）などを検出することとしても良い。これにより、禁酒支援、更生支援を行うことができる。
【００４７】
また、本実施形態においては、臭いセンサ３４をマイク５の近傍に設けることとしているが、臭いセンサ３４を操作キー３や特定キー４の近傍に設けることとしても良い。これにより、ユーザの指に付着したタバコの臭いを検出することができる。特に、臭いセンサ３４を発話キーや終話キーなどの使用頻度の高いキーの近傍に設けると好適である。
【産業上の利用可能性】
【００４８】
以上のように、本発明にかかる携帯電子機器は、臭いを検出するのに有用である。
【符号の説明】
【００４９】
１  携帯電子機器
３  操作キー
４  特定キー
５  マイク
６  レシーバ
２２  制御部
２４  記憶部
２６  通信部
２６ａ  アンテナ
２８  操作部
３０  音声処理部
３２  表示部
３４  臭いセンサ
【図１】
0005582803.tif 000002
【図２】
0005582803.tif 000003